(57)【要約】      （修正有）【課題】輸液チューブの接続装置において、構造を簡単にして取り扱いや操作性を容易にすること、および接続部分に無理な力を加えることなく簡単に引き抜いて分離できるようにすること。【解決手段】２本の輸液チューブ１，３の一方の輸液チューブの端部に雌コネクター２が取り付けられ、他方の輸液チューブに雄コネクター４が取り付けられ、該雄コネクターが取り付けられた輸液チューブに遊嵌状態で移動可能に配設されたロックナット５とからなる接続装置であって、前記ロックナットの戻し操作による回転力を前記雄コネクターに伝達する伝達部材６を設け、該伝達部材を前記雄コネクターに係合止着して着脱可能に配設した構成とすることによって、、無理な力を加えることなく雌コネクターから雄コネクターを簡単に引き抜くことができ、同時に、各構成部品をシンプルな構成に形成することができる。【選択図】図１
2011229646.tif 000002
【特許請求の範囲】
【請求項１】
少なくとも接続しようとする２本の輸液チューブの一方の輸液チューブの端部に雌コネクターが取り付けられ、他方の輸液チューブに雄コネクターが取り付けられ、該雄コネクターが取り付けられた輸液チューブに遊嵌状態で移動可能に配設されたロックナットとからなる接続装置であって、
前記ロックナットの戻し作用の力を前記雄コネクターに伝達する伝達部材を設け、
該伝達部材を前記雄コネクターに係合止着して着脱可能に配設したこと
を特徴とする引き抜き機能を有する医療用輸液チューブの接続装置。
【請求項２】
前記伝達部材と前記雄コネクターとの係合止着は、ロックナットの螺着・緩め方向とは逆方向になっていること
を特徴とする請求項１に記載の引き抜き機能を有する医療用輸液チューブの接続装置。
【請求項３】
前記伝達部材の移動範囲を規制するストッパーリング設けたこと
を特徴とする請求項１または２に記載の引き抜き機能を有する医療用輸液チューブの接続装置。
【発明の詳細な説明】
【技術分野】
【０００１】
本発明は、医療用の輸液セットや延長用輸液チューブにおいて、雄・雌のルアーコネクターを介して接続状態にある輸液チューブを引き抜くための機能を備えた接続装置に関するものである。
【背景技術】
【０００２】
この種の医療用の輸液チューブを接続するための装置としては、雄・雌のルアーコネクターを介して接続する複数の技術が公知になっているが、そのような接続状態にある輸液チューブを引き抜くための装置または機能を有する接続装置については、この種業界では公知の技術はなく医療現場でも使用例はない。
【０００３】
因みに、この種の輸液チューブの接続については、例えば、ロック型接続具が知られている。このロック型接続具は、基端側にロックナットの第一脱着防止部および基端側前方の外周面にロックナットの第二脱着防止部を有する雄ルアー部分と、ロックナット部分が前記雄ルアー部分に嵌装されているロック型接続具において、前記ロックナット部分が雄ルアー部分の第一脱着防止部より脱離が可能な構造であることを特徴とするロック型接続具である（特許文献１参照）。
【０００４】
このロック型接続具は、ひとつの接続部材で螺合によるロック型接続と嵌合のみによるスリップ型接続の２通りの方法で使用することが可能となる。また、ロック型接続を解除すると、スリップ型接続も同時に、且つ容易に解除することができるというものである。
【０００５】
また、第２の公知例として、先端側に雄ルアーを備えた雄コネクタに、ロックリングを嵌装してなるロック型接続具において、前記ロックリングの内腔を段筒状に形成し、その先端側の大径内腔部に、前記雄ルアーと接続される相手側雌コネクタの端部と螺合可能な第１の雌ねじを設けるとともに、その基端側の小径内腔部には、前記雄コネクタの基端側外周に形成した係止部と螺合可能な第２の雌ねじを設け、かつ前記雄コネクタの基端側外周前方に、前記ロックリングの内腔段部端面と当接可能な突起状ストッパを設けたことを特徴とするロック型接続具である（特許文献２参照）。
【０００６】
このロック型接続具は、使用者が意図する場合には容易で安全にロックナット脱着が可能で、逆に意図しない場合にはロックナットが容易に外れないようにすることができ、使い勝手が向上した。また、ロックリングの第１と第２の雌ねじの向きが互いに逆向きとなるように設定したので、目的が異なる脱着と締結の２つの機能を、同時に成立させることが出来て、使い勝手を一層向上させることができたというものである。
【先行技術文献】
【特許文献】
【０００７】
【特許文献１】特開平７ー１４８２７１号公報
【特許文献２】特開２００４−８１４３３号公報
【発明の開示】
【発明が解決しようとする課題】
【０００８】
ところで、前記公知例１においては、雄ルアーコネクターの基端外周に複数個の突起部を設け、該雄ルアーコネクターに嵌装されるロックナットに前記突起部に対応する複数の溝部を設け、突起部と溝部の位置をずらすことでロックナットを雄ルアーコネクターから離脱できないようにし、突起部と溝部の位置を合わせることで軸方向へのスライド移動を可能にして離脱できるように構成されており、一応、ロックナットは、雄ルアーコネクターとの関係でロック型とスリップ型の両方の機能を備えているものである。また、この種の輸液チューブにおける接続具は、点滴などの注射針との接続以外に異なる複数の薬液を混ぜ合わせる時等にも使用される。その場合には、一方の容器に接続された雌ルアーコネクターのチューブと、他方の容器に接続された雄ルアーコネクターのチューブとの接続・離脱（引き抜き）を行うのであるが、その際に、接続と引き抜きとの作業がスムーズに行われなければならないのである。
【０００９】
また、前記公知例２においても、要するに、ロックナット（ロックリング）が前記公知例１と同様に雄ルアーコネクターとの関係でロック型とスリップ型の両方の機能を備えており、使用者が意図して操作しなければロック状態から外れないように、雄ルアーコネクターの基端側に逆向きのねじを形成し、ロックナットの基端側の小径内腔にも雌コネクターと螺合するねじとは逆向きの雌ねじを形成して螺合させるというものであり、その構造が複雑であると共に、使用において使用者が意図しなければはずせないので安全性は確保できるが、ロックナットを雌コネクターに螺合させる方向と同じ方向にロックナットを回転させないと、雄ルアーコネクターからロックナットを外してスリップ型にできないことになり、取扱者が戸惑って操作し難い（使い勝手が悪い）ばかりでなく、輸液チューブの接続は有しているが、離脱（引き抜き）機能は有していない。
【００１０】
ところで、この種の接続装置は実際の使用において、雄ルアーコネクターを摘んで雌コネクターに挿着して嵌合させる操作の場合に、ロック型で使用すると遊嵌状態で雄ルアーコネクターを覆うように位置しているロックナットが邪魔で操作性が悪いばかりでなく、テープなどで患者に固定しようとする場合でも厚みがあって固定しにくいこと、および、ロックナットをロック型で使用してロックナットを緩める方向に回動させても、雌ルアーコネクターから雄ルアーコネクターを引き抜く作用は全く生じないのであり、ロックナットを完全に緩めて雌ルアーコネクターから離脱させた後に、雌ルアーコネクターと雄ルアーコネクターとを両手でそれぞれ摘んで引き抜かなければならないのである。
【００１１】
このように接続状態にある雌ルアーコネクターから雄ルアーコネクターを引き抜く作業を行うのであるが、雄・雌のルアー部分での接続は、液漏れをさせないために接触面積を大きくして圧入状態で密着接続させ、且つロックナットで締め付けることにより圧着状態になっており、密着接続の強度が比較的強くなっているので、ロックナットを緩めて雄・雌のルアーコネクターを両側に引っ張っても、相当な力を加えないと引き抜けないのであり、これを無理に捩ったりして余計な力を加えるとチューブが断裂したりチューブとルアーコネクタとの接続部が割れたりする不都合が生じており、特に、力の弱い女性では引き抜く作業が著しく困難になっているのが実情である。
【００１２】
従って、前記公知技術における輸液チューブの接続装置において、構造を簡単にして取り扱いや操作性を容易にすること、および接続部分に無理な力を加えることなく簡単に引き抜いて分離できるようにすることに解決しなければならない課題がある。
【課題を解決するための手段】
【００１３】
本発明は、前記課題を解決する具体的手段として、少なくとも接続しようとする２本の輸液チューブの一方の輸液チューブの端部に雌コネクターが取り付けられ、他方の輸液チューブに雄コネクターが取り付けられ、該雄コネクターが取り付けられた輸液チューブに遊嵌状態で移動可能に配設されたロックナットとからなる接続装置であって、前記ロックナットの戻し作用の力を前記雄コネクターに伝達する伝達部材を設け、該伝達部材を前記雄コネクターに係合止着して着脱可能に配設したことを特徴とする引き抜き機能を有する医療用輸液チューブの接続装置を提供するものである。
【００１４】
本発明に係る引き抜き機能を有する医療用輸液チューブの接続装置おいて、前記伝達部材と前記雄コネクターとの係合止着は、ロックナットの螺着・緩め方向とは逆方向になっていること；および前記ロックナットと伝達部材の移動範囲を規制するストッパーリング設けたこと；を付加的な要件として含むものである。
【発明の効果】
【００１５】
本発明に係る引き抜き機能を有する医療用輸液チューブの接続装置よれば、各構成部品をシンプルな構成に形成することができるので、構成が簡単でありながら、輸液チューブの確実な接続と離脱とが可能になったのであり、特に、ロックナットの戻し操作による回転力を伝達部材を介して軸心方向の引き抜き力として雄コネクターに伝達して、無理な力を加えることなく雌コネクターから雄コネクターを簡単に引き抜くことができるという優れた効果を奏するのである。
また、前記ロックナットと伝達部材の移動範囲を規制するストッパーリング設けたことによって、これら部材が不用意に移動し患者の皮膚に接触して損傷を招くリスクなどの医療行為における不都合を全面的に解消させることができるという優れた効果も奏する。
【図面の簡単な説明】
【００１６】
【図１】本発明に係る好ましい実施の形態に係る引き抜き機能を有する医療用輸液チューブの接続装置の要部を略示的に示した斜視図である。
【図２】同実施の形態に係る雄コネクターを拡大して示した斜視図である。
【図３】同実施の形態に係る接続装置の要部を拡大して示した断面図である。
【図４】同実施の形態に係る接続装置に使用されるストッパーリングを拡大して示すもので、図（Ａ）は側面図、図（Ｂ）は後端側から見た背面図、図（Ｃ）は断面図である。
【図５】同実施の形態に係る接続装置における接続状態の要部を拡大して示した断面図である。
【図６】同実施の形態に係る接続装置における接続状態から引き抜きを行う初期段階の要部を拡大して示した断面図である。
【図７】同実施の形態に係る接続装置における接続状態から引き抜かれた状況の要部を拡大して示した断面図である。
【発明を実施するための形態】
【００１７】
本発明を図示の実施の形態に基づいて説明する。図１において、好ましい形態の引き抜き機能を有する医療用輸液チューブの接続装置は、接続すべき可撓性の一方の輸液チューブ１の端部には雌コネクター２が設けられ、他方の輸液チューブ３の端部には雄コネクター４が設けられると共に輸液チューブ３に対して遊嵌状態で配設した移動可能なロックナット５と、該ロックナット５の後端部側に当接して支持し、且つ雄コネクター４に係合・離脱可能な伝達部材６と、必要があれば該伝達部材６の移動範囲を任意に設定できるように、前記ロックナット５との間で伝達部材６を挟むような位置関係で配設した摺動移動可能なストッパーリング７とから構成されるものである。
【００１８】
雌コネクター２は、その外周面に取扱者が摘み易いように複数のウイング２ａが突出形成されている。また、雌コネクター２の内周面は、従来技術と同様に自由端部側が僅かに拡径し前記雄コネクター４を受け入れるテーパー面からなる雌ルアー２ｂが設けられると共に、自由端部側の外周面には雄ネジ２ｃが形成されており、従来から使用されているものがそのまま使用可能である。
【００１９】
雄コネクター４は、図２に示したように、その先端部が僅かに縮径するテーパー面からなる雄ルアー４ａに形成し、該雄ルアー４ａの基端側、つまり雄コネクター４の略中間付近を所要長さに渡って肉厚に形成すると共に、その外周面にリング状の膨出部からなる前記ロックナット５のストッパー部４ｂが形成されると共に、肉厚部の後端側に前記伝達部材６が係合・離脱するための係止部４ｃが形成されている。この係止部４ｃは、一例として肉厚部の表面側を所要幅の鈎状に凹ました水平部４ｄを有するもので対称位置に形成した一対のものであるが、これに限定されず、例えば、係合用のネジ状溝であってもよい。なお、係止部４ｃにおける係合止着・離脱方向は、ロックナット５の螺合・離脱のための回転方向とは逆方向になっている。
【００２０】
ロックナット５は、図３に示したように、前記雄コネクター４に対して外嵌・離脱可能で所要長さの略円筒状に形成されたものであり、外周面に滑り止めともいえる複数条のリ
ブ状の突起部５ａが長さ方向に沿って形成され、内周面の先端側には前記雌コネクター２の雄ネジ２ｃと螺合する雌ネジ５ｂが設けられ、後端側内周面には前記雄コネクター４のストッパー部４ｂと回転自在に当接する段差部５ｃが設けられている。
【００２１】
伝達部材６は、図３に示したように、前記ロックナット５と略同径で所要長さの円筒状を呈し、先端部側に前記雄コネクター４の一対の係止部４ｃにそれぞれ係合・離脱可能または着脱可能な突出部６ａが対称位置に一体に形成されている。そして、この突出部６ａは伝達部材６の内周面から突出させたものであって、その突出部６ａの厚み分が伝達部材６の内周面に段差部６ｂとして残存しており、該段差部６ｂと前記水平部４ｄとが当接して結果的に突出部６ａと係止部４ｃとが係合・離脱可能であって、結果的に伝達部材６が雄コネクター４に対して着脱可能な構成になっている。なお、雄コネクター４に設けられる係止部４ｃが係合用のネジ状溝である場合には、突出部６ａもそれに対応させて螺合できるネジ状突部として伝達部材６の先端部側の内周面に形成すれば良いのであり、要するに、雄コネクター４と伝達部材６とがネジ状溝とネジ状突部とで係合・離脱可能または着脱可能な構成にするということができる。
【００２２】
ストッパーリング７は、図４（Ａ）に示したように、全体として短尺の円筒体でその外周面の略中央部には指掛けとなるリング状の突出部７ａが設けられると共に、前記ロックナット５側に位置する先端部は段差を介して小径部７ｂに形成されている。また、ストッパーリング７の内周面は、図４（Ｃ）に示したように、略中央部で先端部側と後端部側とに分けて先端部側を僅かに拡径して拡径部７ｃを形成し、後端部側の内周面には、前記輸液チューブ３と摩擦係合する複数の突起部７ｄが長さ方向に沿って設けられている。
【００２３】
このストッパーリング７における複数の突起部７ｄの頂部は、図４（Ｂ）に示したように、円弧状に形成し、これら突起部７ｄの頂部を結ぶ円形ａは、挿着される輸液チューブ３外径よりも僅かに小径に形成される。この僅かに小径というのは、好ましくは、輸液チューブ３の外径よりも０．０５〜０．１ｍｍ程度の範囲であって、突起部７ｄの頂部と輸液チューブ３の外周面とが実質的に線状で接触し、或る程度の摩擦抵抗があるのでストッパーリング７を摘んで摺動移動させない限り自由には移動しないのである。なお、先端側の小径部７ｂは前記伝達部材６の後端部側に挿入嵌合し得るもので、拡径部７ｄには前記雄コネクター４の後端部側が一応嵌合し得るようになっているが、伝達部材６が介在しているのでその必要はないのである。
【００２４】
このように構成された引き抜き機能を有する医療用輸液チューブの接続装置は、特殊な伝達部材６を接続装置に組み込んであって輸液チューブを接続するものであり、図１に示したように、一方の輸液チューブ１に取り付けられた雌コネクター２に対して、接続しようとする他方の輸液チューブ３に取り付けられた雄コネクター４を接続する際に、雄コネクター４からロックナット５と伝達部材６とストッパーリング７とを少し離しておいて、雌コネクター２を一方の手で摘み他方の手で雄コネクター４を摘んで雌ルアー２ｂに雄ルアー４ａを挿着し、続いて他方の手で輸液チューブ３に遊嵌状態で配設したロックナット５を摘み替えて雄コネクター４に被せるように前進させ、該ロックナット５の雌ネジ５ｂを雌コネクター２の雄ネジ２ｃに螺着させることによって、図５に示したように、両輸液チューブ１、３が安定した状態で接続される。
【００２５】
この場合に、近傍に待機させてあるロックナット５を簡単に摘んで雄コネクター４に被せるようにし、雌コネクター２に当接した状態で複数回捩れば（右方向に回せば）よいのであり、位置合わせなどの操作が不要であるのでその操作が簡単でスムーズに接続・定着できるのである。つづいて、伝達部材６を摘んで雄コネクター４の係止部４ｃに突出部６ａを位置合わせして挿着し、突き当たった位置において左方向に回転させることにより、段差部６ｂが鈎状の係止部４ｃに係合して止着されるのであり、前記ロックナット５の回転方向とは逆に右方向に回転させない限り伝達部材６は簡単には離脱できないのである。また、ストッパーリング７については、伝達部材６の後端部側に嵌合させても良いし、治療や操作に支障を来さなければ、それ自体が自由に移動しないのでからそのまま離れた位置に残しておいても良いのである（図５参照）。
【００２６】
このように接続装置を介して接続した両輸液チューブ１、３を分離、即ち、雌コネクター２から雄コネクター４を引き抜く場合に、まず、ロックナット５を緩める方向に（左方向に）回転させると、図６に示したように、ロックナット５だけが雌コネクター２から離れる方向に移動し、該ロックナット５の後端部が伝達部材６の先端側に当接する。この状態では、まだ雌ルアー２ａから雄ルアー４ａが抜けていない状態である。
【００２７】
そして、さらにロックナット５を緩める方向に回転させると、伝達部材６を押し出す力が作用し、この押し出す力が突出部６ａと係止部４ｃとを介して雄コネクター４に作用することになり、図７に示したように、雌ルアー２ａから雄ルアー４ａが抜けて雌コネクター２から雄コネクター４が離脱、即ち、引き抜かれるのである。この場合のロックナット５を緩める方向の回転は、雌コネクター２の雄ネジ２ｃに対してロックナット５の雌ネジ５ｂが押し出す方向の力、即ち、引き離す方向の力として作用するのであり、この作用する力は、万力の力の原理と同様に、回転力として与える力の何倍にもなって軸心方向に引き離す力となって作用するのであり、密着状態にある雌ルアー２ａから雄ルアー４ａを簡単に引き離すまたは引き抜くことができるのである。
【００２８】
また、雌ルアー２ａから雄ルアー４ａが少しでも離脱すれば（動けば）、後はほとんど力を入れなくても簡単に引き抜くまたは抜き取ることができるのである。そして、ロックナット５と伝達部材６との当接の初期段階で、ロックナット５を緩める方向の回転が伝達部材６に伝達されたにしても、伝達部材６の突出部６ａと雄コネクター４の係止部４ｃとの係合止着がロックナット５の緩める方向とは逆になっているので、ロックナット５の操作により伝達部材６が雄コネクター４から離脱することはないのである。
【００２９】
いずれにしても、ロックナット５の緩める方向に与える回転力を利用して、密着状態にある雌コネクター２から雄コネクター４を引き抜く力に利用するのであり、そのために特殊な伝達部材６を雄コネクター４に着脱自在に組み込むことによって、連結状態にある２本の輸液チューブを力の弱い女性でもロックナット５を緩める方向に操作するだけで簡単に引き抜くことができるのである。
【産業上の利用可能性】
【００３０】
本発明に係る引き抜き機能を有する医療用輸液チューブの接続装置は、接続装置の一部としてロックナットを緩める操作による力を伝達する部材を組み込んであり、前記実施例のスリップ型のみならず従来技術に係るロック型の接続器具にも適用することができるのであり、この種医療用輸液チューブの接続装置に対して簡単に引き抜き機能を付与することができるのであり、しかも、ロックナットを操作するだけで接続と容易な離脱とを行えるのであり、この種輸液チューブの接続用として広く利用できるのである。
【符号の説明】
【００３１】
１、３  輸液チューブ  
２  雌コネクター
２ａ  ウイング
２ｂ  雌ルアー
２ｃ  雄ネジ
４  雄コネクター
４ａ  雄ルアー  
４ｂ  ストッパー部
４ｃ  係止部
４ｄ  水平部
５  ロックナット
５ａ  リブ状の突起部
５ｂ  雌ネジ
５ｃ  段差部
６  伝達部材
６ａ  突出部
６ｂ  段差部
７  ストッパーリング
７ａ  リング状の突出部
７ｂ  小径部
７ｃ  拡径部
７ｄ  突起部
ａ  円形
【図１】
2011229646.tif 000003
【図２】
2011229646.tif 000004
【図３】
2011229646.tif 000005
【図４】
2011229646.tif 000006
【図５】
2011229646.tif 000007
【図６】
2011229646.tif 000008
【図７】
2011229646.tif 000009